(57)【要約】【課題】  人工喉頭使用者が会話を行う際に、その発話音声を拡声することができる人工喉頭使用者用拡声装置の提供。【解決手段】  人工喉頭Ｎを使用した発話音声を集音するためのマイクロホン１と、このマイクロホンで集音してアンプ２で増幅した発話音声を音声振動として出力するスピーカ３とを備えている。【選択図】  図１
2005117484.tif 000002
【特許請求の範囲】
【請求項１】
人工喉頭を使用した発話音声を集音するためのマイクロホンと、このマイクロホンで集音してアンプで増幅した発話音声を音声振動として出力するスピーカとを備えていることを特徴とする人工喉頭使用者用拡声装置。
【請求項２】
請求項１記載の人工喉頭使用者用拡声装置において、
前記マイクロホンがヘッドベルトに装着されている人工喉頭使用者用拡声装置。
【請求項３】
請求項１記載の人工喉頭使用者用拡声装置において、
携帯電話に接続するイヤホンマイクユニットを備え、このイヤホンマイクユニットのマイクロホンによって発話音声を集音し、
アンプの電源ＯＮ状態では、マイクロホンで集音した発話音声をアンプで増幅して音声振動としてスピーカから出力させ、
アンプの電源ＯＦＦ状態では、マイクロホンで集音した発話音声を音声振動として携帯電話に入力させるようにした人工喉頭使用者用拡声装置。
【請求項４】
請求項３記載の人工喉頭使用者用拡声装置において、イヤホンマイクユニットのイヤホン及びマイクロホンがヘッドベルトに装着されている人工喉頭使用者用拡声装置。
【発明の詳細な説明】
【技術分野】
【０００１】
本発明は、人工喉頭使用者が会話を行う際に、その発話音声を拡声するための人工喉頭使用者用拡声装置に関する。
【背景技術】
【０００２】
喉頭癌等の理由により喉頭を摘出し、声を発声することができなくなった障害者に対し、再度、発声することを可能にするための発声補助器具として人工喉頭が知られている（特許文献１参照）。
この人工喉頭としては、例えば、音響変換器から発生する音の断続を行うスイッチを備えたもので、先端の音響変換器を喉部分に当てがう状態に本体を片手で支えながら、スイッチを指で操作して発声を行うようにした電気式人工喉頭等、種々の形態のものが提供されている。
【０００３】
しかしながら、このような人工喉頭を使用した場合、その発話音声の音量を変化させるのが困難であるし、特に、声の大きさがどうしても小さくなり、話し相手が聞き取りにくいという問題があった。
なお、従来、人工喉頭使用者が会話を行う際に、その発話音声を拡声するために供される拡声装置についての提案は見受けられない。
【特許文献１】特開平８−２６５８９１号公報
【発明の開示】
【発明が解決しようとする課題】
【０００４】
本発明はかかる従来の問題を解決するためになされたもので、人工喉頭使用者が会話を行う際に、その発話音声を拡声することができる人工喉頭使用者用拡声装置を提供することを課題としている。
【課題を解決するための手段】
【０００５】
上記の課題を解決するために、本発明の人工喉頭使用者用拡声装置（請求項１）は、
人工喉頭を使用した発話音声を集音するためのマイクロホンと、このマイクロホンで集音してアンプで増幅した発話音声を音声振動として出力するスピーカとを備えている構成とした。
【０００６】
又、本発明の人工喉頭使用者用拡声装置（請求項２）は、請求項１記載の人工喉頭使用者用拡声装置において、
前記マイクロホンがヘッドベルトに装着されている態様とした。
【０００７】
又、本発明の人工喉頭使用者用拡声装置（請求項３）は、請求項１記載の人工喉頭使用者用拡声装置において、
携帯電話に接続するイヤホンマイクユニットを備え、このイヤホンマイクユニットのマイクロホンによって発話音声を集音し、
アンプの電源ＯＮ状態では、マイクロホンで集音した発話音声をアンプで増幅して音声振動としてスピーカから出力させ、
アンプの電源ＯＦＦ状態では、マイクロホンで集音した発話音声を音声振動として携帯電話に入力させる態様とした。
【０００８】
又、本発明の人工喉頭使用者用拡声装置（請求項４）は、請求項３記載の人工喉頭使用者用拡声装置において、イヤホンマイクユニットのイヤホン及びマイクロホンがヘッドベルトに装着されている態様とした。
【発明の効果】
【０００９】
本発明の人工喉頭使用者用拡声装置（請求項１）では、人工喉頭を使用した発話音声は、マイクロホンによって集音され、このマイクロホンで集音された発話音声はアンプで増幅され、音声振動としてスピーカから出力される。
従って、人工喉頭使用者による発話音声の音量を拡大させて、話し声を大きくすることができ、話し相手が聞き取り易くすることができる。
【００１０】
なお、マイクロホンをヘッドベルトに装着させると（請求項２）、手を使わずにマイクロホンを安定よく支持することができる。
【００１１】
また、携帯電話に接続するイヤホンマイクユニットを具備させると（請求項３）、通常会話時と、携帯電話使用時とで切り替えて使用することができる。
【００１２】
また、イヤホンマイクユニットのイヤホン及びマイクロホンをヘッドベルトに装着させると（請求項４）、手を使わずにイヤホン及びマイクロホンを安定よく支持することができる。
【発明を実施するための最良の形態】
【００１３】
以下、本発明の実施の形態を図面に示す実施例により説明する。
図１は本発明の第１実施例である人工喉頭使用者用拡声装置の使用状態を示す斜視図、図２はこの人工喉頭使用者用拡声装置の回路ブロック図である。
この人工喉頭使用者用拡声装置は、マイクロホン１と、アンプ２と、スピーカ３とを主な構成として備えている。
【００１４】
前記マイクロホン１は、人工喉頭Ｎを使用した発話音声を集音するための入力手段となるもので、ヘッドベルト４に装着されている。
このヘッドベルト４は、頭部Ｈの形状に対応して円弧状に形成され、途中に長さ調節機構が設けられ、一端に耳パッド４０が設けられている。
そして、前記耳パッド４０から口元に延長したアーム４１の先端にマイクロホン１が取り付けられている。
なお、このマイクロホン１としては、周囲の雑音を拾うことなく、発話音声を確実に集音できる指向性マイクロホンを使用するようにしてもよい。
【００１５】
前記アンプ２は、マイクロホン１で集音した発話音声を増幅させるためのもので、本体部２０に組み込まれ、前記マイクロホン１に電線１０を介して接続されている。
前記本体部２０は、衣服の胸ポケットに収容できるサイズに形成されたケーシング２１を備え、このケーシング２１に、前記アンプ２及びこのアンプ２で増幅した発話音声を音声振動として出力するスピーカ３とが組み込まれている。
なお、このスピーカ３は、必ずしも本体部２０のケーシング２１内に組み込む必要はなく、ケーシング２１とは別体に設けて、アンプ２に電線で接続させてもよい。
【００１６】
又、このケーシング２１には、電源スイッチ２２を兼ねるボリュームダイヤル２３がその外周面の一部をケーシング２１の外方に露出するようにして設けられている。
さらに、ケーシング２１には、電池２４（乾電池又は充電電池）を装填するための電池収納部が形成されている。
【００１７】
そして、アンプ２へは、前記ボリュームダイヤル２３を回転操作することにより開閉される電源スイッチ２２を介して電池２４から電圧が供給される。
また、アンプ２には、ボリューム２５が接続されており、前記ボリュームダイヤル２３の回転操作によってスピーカ３から放音される再生出力の音量を調節できるようになっている。
【００１８】
従って、この人工喉頭使用者用拡声装置を使用するに際しては、図１に示すように、マイクロホン１が口元に向くように、ヘッドベルト４を頭部Ｈに装着する。
この状態で電源スイッチ２２をＯＮして、アンプ２に通電しておく。
そして、使用者が人工喉頭Ｎを使用して発声すると、その発話音声は、マイクロホン１によって集音され、このマイクロホン１で集音された発話音声はアンプ２で増幅され、音声振動としてスピーカ３から出力される。
このとき、ボリュームダイヤル２３を回転操作することによって、スピーカ３から出力される発話音声の音量を調節することができる。
従って、人工喉頭Ｎの使用者による発話音声の音量を拡大させて、話し声を大きくすることができ、話し相手が聞き取り易くすることができる。
【００１９】
なお、この実施例では、マイクロホン１とアンプ２とを電線１０で接続させた有線信号送信方式にしているが、マイクロホン１からアンプ２へＦＭ送受信機等を用いて送信する無線信号送信方式を用いることができる。
【００２０】
次に、図３は本発明の第２実施例である人工喉頭使用者用拡声装置の回路ブロック図である。
この人工喉頭使用者用拡声装置では、前記第１実施例で使用したマイクロホン１の代わりに、携帯電話Ｔに接続するイヤホンマイクユニット５を備え、このイヤホンマイクユニット５のマイクロホン５０によって発話音声を集音するようになっている。
なお、その他の構成は、前記第１実施例と同様になっている。
【００２１】
そして、アンプ２の電源スイッチ２２がＯＮの状態では、マイクロホン５０で集音した発話音声をアンプ２で増幅して音声振動としてスピーカ３から出力させる。
一方、アンプ２の電源スイッチ２２がＯＦＦの状態では、マイクロホン５０で集音した発話音声を音声振動として携帯電話Ｔに入力させるようになっている。
【００２２】
なお、前記イヤホンマイクユニット５のマイクロホン５０およびイヤホン５１は、第１実施例と同様のヘッドベルトに装着されている。
【００２３】
従って、この人工喉頭使用者用拡声装置を使用するに際しては、イヤホン５１を耳に装着させると共に、マイクロホン５０が口元に向くように、ヘッドベルトを頭部に装着する。
そして、通常は、電源スイッチ２２をＯＮにしておき、発話音声をアンプ２で増幅して音声振動としてスピーカ３から出力させる。
【００２４】
次に、携帯電話Ｔを使用する場合には、電源スイッチ２２をＯＦＦに切り替えるもので、これによりアンプ２への通電が断たれるため、スピーカ３からの出力は行なわれず、マイクロホン５０で集音した発話音声は、音声振動として携帯電話Ｔに入力される。
これにより、イヤホン５１で受音すると共に、マイクロホン５０で発音するといったイヤホンマイクユニット５を使用した携帯電話Ｔでの通話ができる。
【図面の簡単な説明】
【００２５】
【図１】本発明の第１実施例である人工喉頭使用者用拡声装置の使用状態を示す斜視図である。
【図２】この人工喉頭使用者用拡声装置の回路ブロック図である。
【図３】本発明の第２実施例である人工喉頭使用者用拡声装置の回路ブロック図である。
【符号の説明】
【００２６】
１  マイクロホン
１０  電線
２  アンプ
２０  本体部
２１  ケーシング
２２  電源スイッチ
２３  ボリュームダイヤル
２４  電池
２５  ボリューム
３  スピーカ
４  ヘッドベルト
４０  耳パッド
４１  アーム
５  イヤホンマイクユニット
５０  マイクロホン
５１  イヤホン
Ｈ  頭部
Ｎ  人工喉頭
Ｔ  携帯電話
【図１】
2005117484.tif 000003
【図２】
2005117484.tif 000004
【図３】
2005117484.tif 000005